(57)【要約】【課題】調整量が大きく、組立作業性が良い小型のコネクタ装置を提供することにある。【解決手段】取付基板５１に取り付けたソケット本体１１およびソケットカバー３０からなるソケット１０に、プラグ４０を嵌合して電気接続するコネクタ装置である。そして、前記取付基板５１の取付孔５２に前記ソケット本体１１および前記ソケットカバー３０を反対方向からそれぞれ組み付け、前記ソケット本体１１の鍔部１２と前記ソケットカバー３０の鍔部３１とで前記取付基板５１を挟持するとともに、前記ソケット本体１１と前記ソケットカバー３０とを一体にスライド移動可能に支持した。【選択図】図２
2008034250.tif 000002
【特許請求の範囲】
【請求項１】
取付基板に取り付けたソケット本体およびソケットカバーからなるソケットに、プラグを嵌合して電気接続するコネクタ装置において、
前記取付基板の取付孔に前記ソケット本体および前記ソケットカバーを反対方向からそれぞれ組み付け、前記ソケット本体の鍔部と前記ソケットカバーの鍔部とで前記取付基板を挟持するとともに、前記ソケット本体と前記ソケットカバーとを一体にスライド移動可能に支持したことを特徴とするコネクタ装置。
【請求項２】
取付基板の取付孔に前記ソケット本体および前記ソケットカバーを反対方向からそれぞれ脱着可能に係合一体化し、前記ソケット本体の鍔部と前記ソケットカバーの鍔部とで前記取付基板を挟持するとともに、前記ソケット本体と前記ソケットカバーとを一体にスライド移動可能に支持したことを特徴とする請求項１に記載のコネクタ装置。
【請求項３】
ソケット本体および／またはソケットカバーの鍔部に、取付基板の少なくとも片面に当接する複数の位置決め用突起を突設したことを特徴とする請求項１または２に記載のコネクタ装置。
【請求項４】
パチンコ遊技機本体の前面に設けた取付板にソケットをスライド移動可能に取り付ける一方、前記取付板の前面側に配置した遊技盤の背面のうち、前記ソケットに対向する位置にプラグを取り付け、前記ソケットに前記プラグを嵌合して電気接続することを特徴とする請求項１ないし３のいずれか１項に記載のコネクタ装置。
【請求項５】
パチンコ遊技機本体の背面に設けた取付板にソケットをスライド移動可能に取り付ける一方、前記パチンコ遊技機本体の背面側に配置した賞球ユニットのうち、前記ソケットに対向する位置にプラグを取り付け、前記ソケットに前記プラグを嵌合して電気接続することを特徴とする請求項１ないし４のいずれか１項に記載のコネクタ装置。
【発明の詳細な説明】
【技術分野】
【０００１】
本発明はコネクタ装置、例えば、パチンコ遊技機が内蔵する電気機器を電気接続するコネクタ装置に関する。
【背景技術】
【０００２】
従来、コネクタ装置としては、例えば、自己調芯型コネクタがある（特許文献１参照）。
すなわち、パネル９０の穴部９１に板バネ１９を備えたコネクタガイド部材１０を挿入方向に移動可能な状態で遊嵌装着するとともに、プラグコネクタハウジング２０を、前記コネクタガイド部材１０に前記挿入方向と交差する方向に移動可能な状態で遊嵌装着する自己調芯型コネクタである。
【特許文献１】特開２００５−９３２７０号公報
【発明の開示】
【発明が解決しようとする課題】
【０００３】
しかしながら、前述のコネクタ装置では、特許文献１の図５に示すように、挿入方向と交差する方向における位置調整可能な範囲が内側フランジ１４と弾性取付片２４との隙間だけであり、調整量が少なく、組立作業性が悪い。このため、調整量を大きくしようとすると、コネクタガイド部材１０の床面積を大きくする必要があり、装置が大型化するという問題点がある。
【０００４】
本発明は、前記問題点に鑑み、調整量が大きく、組立作業性が良い小型のコネクタ装置を提供することを課題とする。
【課題を解決するための手段】
【０００５】
本発明にかかるコネクタ装置は、前記課題を解決すべく、取付基板に取り付けたソケット本体およびソケットカバーからなるソケットに、プラグを嵌合して電気接続するコネクタ装置において、前記取付基板の取付孔に前記ソケット本体および前記ソケットカバーを反対方向からそれぞれ組み付け、前記ソケット本体の鍔部と前記ソケットカバーの鍔部とで前記取付基板を挟持するとともに、前記ソケット本体と前記ソケットカバーとを一体にスライド移動可能に支持した構成としてある。
【発明の効果】
【０００６】
本発明によれば、取付基板の取付孔を介して係合一体化したソケット本体およびソケットカバーが一体にスライド移動可能であるので、プラグの取付精度が低くても、ソケット本体およびソケットカバーを一体にスライド移動させて位置調整でき、組立作業性が良い。特に、取付基板の取付孔とソケットとの間の隙間分だけ位置調整可能であるので、ソケット自体を大型化する必要がなく、従来例よりも小型化のコネクタ装置が得られる。
【０００７】
本発明にかかる実施形態としては、取付基板の取付孔に前記ソケット本体および前記ソケットカバーを反対方向からそれぞれ脱着可能に係合一体化し、前記ソケット本体の鍔部と前記ソケットカバーの鍔部とで前記取付基板を挟持するとともに、前記ソケット本体と前記ソケットカバーとを一体にスライド移動可能に支持してもよい。
本実施形態によれば、ソケット本体とソケットカバーとを脱着可能に係合一体化して組み付けることにより、ワンタッチで取り付け可能となり、より一層組立作業性の良いコネクタ装置が得られる。
【０００８】
本発明にかかる他の実施形態としては、ソケット本体および／またはソケットカバーの鍔部に、取付基板の少なくとも片面に当接する複数の位置決め用突起を突設してもよい。
本実施形態によれば、ソケット本体および／またはソケットカバーの鍔部に設けた位置決め用突起が取付基板に点接触するので、摩擦係数が小さくなり、ソケットが円滑にスライド移動し、組立作業性が更に向上する。
【０００９】
本発明にかかる別の実施形態としては、パチンコ遊技機本体の前面に設けた取付板にソケットをスライド移動可能に取り付ける一方、前記取付板の前面側に配置した遊技盤の背面のうち、前記ソケットに対向する位置にプラグを取り付け、前記ソケットに前記プラグを嵌合して電気接続してもよい。
本実施形態によれば、パチンコ遊技機の組立作業が容易となり、熟練作業者を必要とせず、現場における組立作業性が向上する。
【００１０】
本発明にかかる異なる実施形態としては、パチンコ遊技機本体の背面に設けた取付板にソケットをスライド移動可能に取り付ける一方、前記パチンコ遊技機本体の背面側に配置した賞球ユニットのうち、前記ソケットに対向する位置にプラグを取り付け、前記ソケットに前記プラグを嵌合して電気接続してもよい。
本実施形態によれば、前述の実施形態と同様、パチンコ遊技機の組立作業が容易となり、熟練作業者を必要とせず、現場における組立作業性が向上するという効果がある。
【発明を実施するための最良の形態】
【００１１】
本発明にかかる実施形態を図１ないし図１６の添付図面に従って説明する。
第１実施形態にかかるコネクタ装置は、図１および図２に示すように、ソケット本体１１およびソケットカバー３０からなるソケット１０と、プラグ４０とで構成されている。
【００１２】
前記ソケット本体１１は、図３に示すように、後述する取付基板５１の嵌合孔５２に遊嵌可能な直方体形状のハウジング部１３の外周面に、枠状鍔部１２を一体成形してある。前記枠状鍔部１２には各隅部に位置決め用突起１４が突設けられている。また、前記ハウジング部１３内には所定ピッチで２列のピン孔１５を配設してあり、各ピン孔１５内には後述する接続ピン２０を下方からそれぞれ圧入してある（図１０）。特に、前記ハウジング部１３の上端面には前記ピン孔１５に連通する４角錐台のガイド用凹部１５ａが形成されている。また、長辺側の側面にはガイド用リブ１６が突設されている。さらに、短辺側の両側面に弾性係合爪１７が一体成形されているとともに、前記両側面の両側縁部に一対の保護用リブ１８がそれぞれ設けられている。
【００１３】
前記接続ピン２０は、図４に示すように、導電性板材にプレス加工を施し、上端部に一対の対向する弾性舌片２１，２２を形成するとともに、一方の前記弾性舌片２１の基部に抜け止め用係止爪２３を切り起こしてある。また、前記接続ピン２０は、その下端部に設けたカシメ部２４を介してリード線５０を電気接続してある。
【００１４】
前記ソケットカバー３０は、図５および図６に示すように、対向する外周縁部に位置決め用凸部３１ａ，凹部３１ｂを設けた板状鍔部３１の中央に、前記ソケット本体１０に嵌合可能な嵌合孔３１ａを設けるとともに、その上面周辺縁部に環状カバー部３２を突設してある。前記環状カバー部３２は、その角部にガイド用支柱部３３を一体成形してあるとともに、その長辺側の一側面に嵌合用リブ３４を一体成形してある。また、前記環状カバー部３２の短辺側の両側面には係合孔３５をそれぞれ設けてある。さらに、前記板状鍔部３１の下面中央部には、後述する取付基板５１の取付孔５１に遊嵌可能な環状リブ３６を突設してある。
【００１５】
本実施形態によれば、ソケットカバー３０に多数の端子孔を設ける必要がなく、単なる嵌合孔を１個設けるだけでよいので、ソケットカバー３０の金型製造が容易になり、生産コストを低減できるという利点がある。
【００１６】
前記プラグ４０は、図７および図８に示すように、前記ソケットカバー３０に嵌合可能な外周形状を有し、４隅に前記ガイド用支柱部３３を挿入できる挿入孔４１を有する。特に、前記挿入孔４１の下方開口縁部には円錐台形の環状テーパ面４２を形成してあるので、前記ソケットカバー３０に対する位置決めが容易になり、組立作業が容易になるという利点がある。また、前記プラグ４０は、その天井面に、圧入ピン４３を所定のピッチで配設するとともに、係合ピン４４を配設してある。前記係合ピン４４の上方端部には二股に分かれた弾性係合部４４ａ，４４ａが形成されている。さらに、前記プラグ４０の上端面から位置決め突起４５が突設している。
【００１７】
次に、前記ソケット１０および前記プラグ４０の接続方法を図２、図９および図１０に基づいて説明する。
まず、対向する開口縁部に凹部５３，凸部５４を設けた取付基板５１の取付孔５２に、ソケットカバー３０の環状リブ３６を上方側から嵌合して位置決めする。そして、その下方側からソケット本体１１のハウジング部１３を前記ソケットカバー３０の嵌合孔３１ａに挿入し、前記ハウジング部１３に設けた弾性係合爪１７をソケットカバー３０に設けた係合孔３５に係合することにより、前記取付基板５１をソケット本体１１の枠状鍔部１２とソケットカバー３０の板状鍔部３１とでスライド移動可能に挟持する。そして、ソケットカバー３０の環状カバー３２の開口部からソケット本体１１のガイド用凹部１５ａが露出するが、その露出面は環状カバー３２の開口縁部から一段低くなっている。
【００１８】
一方、図２に示すように、前記プラグ４０の圧入ピン４３の端子部４３ａをプリント基板５５の端子孔５６に挿入し、係合ピン４４，４４の弾性係合部４４ａ，４４ａをプリント基板５５の係合孔５７に弾性係合するとともに、前記プラグ４０の位置決め突起４５を位置決め孔５８に挿入する。
【００１９】
そして、図１に示すように、取付基板５１にスライド移動可能に取り付けたソケット１０のガイド用支柱３３の上方に、プラグ４０の挿入孔４１を位置決めした後、組み付ける。そして、ガイド用支柱３３の上端部が挿入孔４１の環状テーパ面４２にガイドされ（図９Ａ）、ソケット１０がスライド移動して自動的に位置調整される。このため、ガイド用支柱３３が挿入孔４１に挿入されるとともに（図９Ｂ）、圧入ピン４３の圧入部４３ｂが接続ピン２０の弾性舌片２１，２２間に圧入され、電気接続される（図１０）。このとき、ソケットカバー３０の環状カバー３２の開口部からソケット本体１１の上端面である露出面が一段低くなっているので、位置決め作業が容易となり、作業しやすいという利点がある。
【００２０】
第２実施形態にかかるソケット１０は、図１１に示すように、前述の第１実施形態とほぼ同様であり、異なる点はソケットカバー３０とソケット本体１１との嵌合構造である。
すなわち、本実施形態では、ソケットカバー３０の天井面に、ソケット本体１５のピン孔１５に連通する４角錐台のガイド用凹部３２ａを所定のピッチでそれぞれ設ける一方、ソケット本体１１のガイド用凹部を無くし、接続ピン２０の上端部を露出させた場合である。なお、同一部分には同一番号を附して説明を省略する。
【００２１】
本実施形態によれば、ソケットカバー３０の上端面が単なる開口部でなく、枠形状となるので、ソケットカバー３０の強度が向上するという利点がある。
【００２２】
第３実施形態は、図１２ないし図１４に示すように、前述の第１実施形態とほぼ同様であり、異なる点はプリント基板５５に対するプラグ４０の取付構造である。
すなわち、本実施形態にかかるプラグ４０は、その上端面隅部に前記係合ピン４６をそれぞれ突設した場合である。
本実施形態によれば、嵌合用挿入孔４１のスペースを基板取付用スペースとしても使用するので、床面積のより小さいコネクタが得られるという利点がある。
なお、第１実施形態にかかる係合ピン４４をプラグ４０の４隅に配置して係合一体化してもよい。
【００２３】
第４実施形態は、図１５に示すように、前述の実施形態にかかるコネクタ装置をパチンコ遊技機６０の電気接続に適用した場合である。
すなわち、本実施形態にかかるパチンコ遊技機６０では、パチンコ機本体６１を機枠６２にヒンジ支持するとともに、前記パチンコ機本体６１の前面側に遊技盤６３を回動可能に支持してある。さらに、前記遊技盤６３の前方側には透明ガラス６４を取り付けたガラス扉枠６５をヒンジ支持してある。
【００２４】
本実施形態によれば、前記パチンコ機本体６１の前面側の取付板６１ａにソケット１０をスライド移動可能に取り付けてある一方、遊技盤６３の背面にプリント基板５５を介してプラグ４０を取り付けてある。このため、例えば、パチンコ機本体６１に対する遊技盤６３の組付精度が低い場合であっても、ソケット１０が取付板６１ａ上をスライド移動して位置調整することにより、ソケット１０にプラグ４０を嵌合できる。この結果、現場における接続作業性が容易となり、熟練作業者を必要とせず、生産性の高いパチンコ遊技機６０が得られるという利点がある。
【００２５】
第５実施形態は、図１６に示すように、前述の実施形態にかかるコネクタ装置をパチンコ遊技機６０の賞球ユニット７０に適用した場合である。
すなわち、パチンコ機本体６１の背面側に配置された前記賞球ユニット７０は、その一部の送球筒体７１が取付板６１ｂに対して回動可能にヒンジ支持されている。そして、前記送球筒体７１の前面側にはプリント基板５５を介してプラグ４０が取り付けられている。一方、パチンコ機本体６１の背面側に配置した取付板６１ｂにソケット１０がスライド移動可能に取り付けられている。
【００２６】
本実施形態よれば、送球筒体７１に対するプラグ４０の取付精度が低い場合であっても、前記ソケット１０がスライド移動して位置調整できるので、前記ソケット１０にプラグ４０が嵌合し、電気接続される。このため、第４実施形態と同様、取付精度が低い場合であっても、現場における接続作業が容易であり、熟練作業者を必要とせず、生産性の高いパチンコ遊技機６０が得られるという利点がある。
【産業上の利用可能性】
【００２７】
本発明にかかるコネクタ装置はパチンコ遊技機，パチスロ遊技機に限らず、他の電気機器の接続に適用してもよいことは勿論である。
【図面の簡単な説明】
【００２８】
【図１】本発明にかかるコネクタ装置の第１実施形態を示す斜視図である。
【図２】図１で示した第１実施形態の分解斜視図である。
【図３】図３Ａ，３Ｂは図２で示したソケット本体を異なる角度から見た斜視図である。
【図４】図４Ａ，４Ｂは図３で示したソケット本体内に内蔵され、かつ、リード線を備えた接続ピンを異なる角度から見た斜視図である。
【図５】図５Ａ，５Ｂは図２で示したソケットカバーの斜視図および断面斜視図である。
【図６】図６Ａ，６Ｂは図２で示したソケットカバーの異なる角度から見た斜視図である。
【図７】図７Ａ，７Ｂは図２で示したプラグの斜視図および断面斜視図である。
【図８】図８Ａ，８Ｂは図２で示したプラグを異なる角度から見た斜視図および断面斜視図である。
【図９】図９Ａ，９Ｂは図１で示したソケットとプラグとの接続方法を説明するための断面図である。
【図１０】図１で示したソケットとプラグとの接続状態を示す断面図である。
【図１１】図１１Ａ，１１Ｂは本発明にかかるコネクタ装置の第２実施形態を示すソケットカバー、ソケット本体の斜視図である。
【図１２】本発明にかかるコネクタ装置の第３実施形態を示す分解斜視図である。
【図１３】図１３Ａ，１３Ｂは図１２で示したプラグの斜視図、断面斜視図である。
【図１４】図１４Ａ，１４Ｂは図１２で示したプラグの断面斜視図である。
【図１５】パチンコ遊技機に適用した第４実施形態を示す概略斜視図である。
【図１６】パチンコ遊技機の賞球ユニットに適用した第５実施形態を示す概略斜視図である。
【符号の説明】
【００２９】
１０：コネクタ装置
１１：ソケット本体
１２：枠状鍔部
１３：ハウジング部
１４：位置決め用突起
１５：ピン孔
１５ａ：ガイド用凹部
１６：ガイド用リブ
１７：弾性係合爪
２０：接続ピン
２１，２２：弾性舌片
２３：抜け止め用係止爪
２４：カシメ部
３０：ソケットカバー
３１：板状鍔部
３２：環状カバー部
３３：ガイド用支柱
３４：嵌合用リブ
３５：係合孔
３６：環状リブ
４０：プラグ
４１：挿入孔
４２：環状テーパ面
４３：圧入ピン
４４，４６：係合ピン
４５：位置決め突起
５０：リード線
５１：取付基板
５２：取付孔
５５：プリント基板
５６：端子孔
５７，５８：係合孔
５８：位置決め孔
６０：パチンコ遊技機
６１：パチンコ遊技機本体
７０：賞球ユニット
【図１】
2008034250.tif 000003
【図２】
2008034250.tif 000004
【図３】
2008034250.tif 000005
【図４】
2008034250.tif 000006
【図５】
2008034250.tif 000007
【図６】
2008034250.tif 000008
【図７】
2008034250.tif 000009
【図８】
2008034250.tif 000010
【図９】
2008034250.tif 000011
【図１０】
2008034250.tif 000012
【図１１】
2008034250.tif 000013
【図１２】
2008034250.tif 000014
【図１３】
2008034250.tif 000015
【図１４】
2008034250.tif 000016
【図１５】
2008034250.tif 000017
【図１６】
2008034250.tif 000018